(57)【特許請求の範囲】
【請求項１】
ハンドルに対して取り外し可能な連結を行うための連結機構を有するハウジングと、そのハウジングの前部に設けられたガード面と、ハウジングの後部に設けられた潤滑ストリップと、上記ガード面と潤滑ストリップとの間において上記ハウジングによって支持されている第１、第２及び第３の刃とを有し、ひげそり中に、使用者のひげが、前記ガード面、第１の刃、第２の刃、第３の刃及び潤滑ストリップに順次係合されるようにし、前記ハウジングは、前記刃の縁部と平行に延びる旋回軸の回りでの当該ハウジングの旋回を可能とする旋回機構を有し、前記旋回軸は、前記刃の前方でかつ前記ガード面と潤滑ストリップに接する平面の下方にある、取り外し可能な安全カミソリカートリッジ。
【請求項２】
旋回軸は、ガード面に接し第１の刃の縁部を含む平面に対して垂直方向に見てガード面の下方にある、請求項１記載の安全カミソリカートリッジ。
【請求項３】
前記ハウジングは、前記ガード面と潤滑ストリップに接する平面の下方でハウジングを貫通する開口を有し、前記第１、第２及び第３の刃が上記開口内に取り付けられている、請求項２記載の安全カミソリカートリッジ。
【請求項４】
各刃は、前記ガード面と潤滑ストリップに接する平面に対して鋭角に傾斜する各面に配設され、各刃は互いに重なり合わないようにしてある、請求項１、２、または３記載の安全カミソリカートリッジ。
【請求項５】
各刃は曲がった支持部材に取り付けられている、請求項１、２、または３記載の安全カミソリカートリッジ。
【請求項６】
上記支持部材は支持部と基部とを有し、上記支持部は前記ガード面と潤滑ストリップに接する平面に対して鋭角に傾斜され、前記基部は上記平面に対してほぼ垂直である、請求項５記載の安全カミソリカートリッジ。
【請求項７】
各基部は、ハウジングにおける開口の対向する端壁の互いに対向するスロットに取り付けられている、請求項６記載の安全カミソリカートリッジ。
【請求項８】
曲がった各支持部材は、ハウジングのそれぞれ対向したスロットに取り付けられており、その対向したスロットは前記ガード面と潤滑ストリップに接する平面に対して横断する方向に延びている、請求項６記載の安全カミソリカートリッジ。
【請求項９】
カム面がカートリッジを休止位置に保持するようにハンドルから力を受けるように設けられ、前記カートリッジが取り付けられるようにしたハンドルの一部を収容するため、ハウジングの各端部近傍の底部に延びるソケットが設けられている、請求項１乃至８のいずれかに記載の安全カミソリカートリッジ。
【請求項１０】
前記カム面は、少なくとも一つの前記ソケット内に設けられている、請求項９記載の安全カミソリカートリッジ。
【請求項１１】
上記ソケットはガード面の下方で延びている、請求項９または１０記載の安全カミソリカートリッジ。
【請求項１２】
上記ソケットの内端に設けられ、ソケットのほぼ横方向に延びる開口部を有する、請求項９、１０、または１１記載の安全カミソリカートリッジ。
【発明の詳細な説明】
【０００１】
【発明の属する技術分野】
本発明は、ハンドルと、ひげそり中にひげ剃面の輪郭にそれ自身を適合するように旋回する能力を備え、ハンドルに取り付けられた刃ユニットとを有する種類の安全カミソリのカートリッジであって、刃ユニットを「休止」位置に押圧するようにハンドルと刃との間で作用するばね手段を具備した安全カミソリのカートリッジに関する。
【０００２】
【従来の技術および発明が解決しようとする課題】
刃の縁部が摩耗したとき刃ユニットの取り替えができるように、ハンドルに着脱可能に装着するようにした刃ユニットは従来から知られている。そのような取り替え可能な刃ユニットは一般にカートリッジと言われている。
【０００３】
本発明によれば、ハンドルに対して取り外し可能な連結を行うための連結機構及び旋回軸の回りの旋回を可能とする旋回機構とを有するハウジングと、そのハウジングの前部に設けられたガード面と、ハウジングの後部に設けられた潤滑ストリップと、上記ガード面と潤滑ストリップとの間において上記ハウジングによって支持されている第１、第２及び第３の刃とを有し、ひげそり中に、使用者のひげが、前記ガード面、第１の刃、第２の刃、第３の刃及び潤滑ストリップに順次係合されるようにした、取り外し可能な安全カミソリカートリッジが提供される。
【０００４】
スプリングによる支持作用に抗して互いに独立して動き得るようにハウジングに装着された３枚の刃を有する旋回可能なカートリッジは、本発明によるガードと潤滑ストリップとの協働により予想できない程良好なひげそり性能を有することが判明した。
【０００５】
旋回機構は、旋回軸が、前記刃の縁部と平行に延びると共に、前記刃の前方でかつ前記ガード面と潤滑ストリップに接する平面の下方にあるように配設されることが好ましい。旋回軸は、ガード面に接し第１の刃の縁部を含む平面に対して垂直方向に見てガード面の下方にある。
【０００６】
旋回軸がガード面の下方に位置することにより、ひげそり中に皮膚に対する刃の力は、主として、カートリッジの休止位置からの旋回移動に対抗し、カートリッジが上記休止位置から変移した後休止位置に戻す復元力を与えるスプリング装置による影響を受ける。その結果、もし使用者がガードにさらに力を加え、例えば皮膚を拡げるようとした場合にも、皮膚上の刃の力を増大することなくひげそりを行うことができる。これは、先行技術によるカミソリによっては達成できないことである。
【０００７】
本発明の完全な理解は、非制限的な例として与えられるいくつかの特定の実施例の次の詳細な説明から得られるであろう。
【０００８】
【発明の実施の形態】
以下添付図面を参照して、本発明の実施の形態について説明する。
図１及び図２に示す安全カミソリは、ハンドル１と、刃ユニットまたはカートリッジ２とを有し、カートリッジは、刃がなまったとき廃棄され、鋭い縁部を有する新しいカートリッジをハンドルに着け換えられるタイプである。刃のカートリッジは、平行な縁部を有する第１、第２及び第３の刃６と、組立体のキャップを形成する潤滑ストリップ８を有するハウジング４またはフレームを有する。ハウジング４またはフレームはほぼ矩形で開口４０を取り囲んでいる。ハウジング４は、この特定の実施例においては、ハウジング４と一体的なガード部材によって形成されるガード面１０を含む上面皮膚係合面と、その上面から離間しほぼそれに対向する底部と、ガード面１０に隣接する前部４２と、キャップに隣接する後部４３と、その前部と後部とを連結する端壁４４を有している。ガード面１０は、第１の刃または刃の前縁１２に平行にカートリッジに沿って延びている。勿論、ガード面１０は、カートリッジフレームによって支持された別部材によって形成することもできる。ハウジング４の両端でかつハウジング４の前縁に近いガード面１０の下方にハンドル接続部分を受けるソケット１４がそれぞれ形成されている。各ソケット１４は、長手方向の内側を向いたカム面１６を有している。図３に最もよく示すように、カム面１６は、カートリッジの後方に向かう方向に互いに向かって収束するように傾斜している。各カム面１６のすぐ上に、ソケット１４から長手方向外側を向いており、ハンドル１に取り付けられたときカートリッジ４の旋回軸Ｃを規定する中心を有する開口部１８が設けられており、その開口部１８はハンドルに取り付けられたときカートリッジ４の旋回軸Ｃを規定する中心を有している。旋回軸Ｃは刃の前方で且つガード面１０と潤滑ストリップ８に接する平面より下方にある。
【０００９】
ひげそり時には、使用者のひげがガード面、第１の刃、第２の刃、第３の刃及び潤滑ストリップに順次係合するように、カートリッジハウジングの開口４０に、第１、第２、及び第３の刃６が設けられている。各刃６はガード面と潤滑ストリップに接する平面に対して鋭角な各面に配設されており、平行な各刃６が上記ガード面１０と潤滑ストリップ８に接する平面に重ならないようにしてある。各刃６は上記平面に対して傾斜する支持部５１とその平面にほぼ垂直な基部５２を有するそれぞれ曲がった刃支持部材５０に取り付けられている。各刃は、ハウジングの端壁４４に設けられている互いに対向する一対のスロット５４に案内される刃支持部材５０の基部５２によって、カートリッジハウジングに独立して可動的に設けられている。刃支持部材５０の底縁には図１及び図４に示す位置に各刃６を上方に偏位させるスプリングが作用せしめられている。
【００１０】
カミソリハンドルは、一部だけが示されている手で持たれるようになっている主部分と、対向したアームを具備したヨークの形状のネックとを有し、対向したアームには、各ウィング２０をピボット２２によって取り付ける溝またはスロットが設けられている。ウィング２０の先端部の自由端は、ハンドル１の中に組み込まれ、各ウィング２０に作用する板ばね２４によって付勢されている。ウィング２０には、図示したようにばねの作用に抗して両ウィングを一緒に揺動させるためにその中間位置にフィンガグリップ部分２５が形成されている。ウィング２０の先端部には、カミソリの各ソケットに係合し、ハンドルと刃ユニットとの間にピボットを形成するように、つまり、旋回軸Ｃを規定するように開口部１８に係合するスタブ軸２６が設けられている。ウィング２０に作用するばね２４は、スタブ軸２６を開口部１８に正しく係合するようにスタブ軸２６を押すが、また、ウィング２０の先端の当接縁部２８をカム面１６に接触させるように押す。ソケット１４は、前面及び後面を有し、これらは、ハンドルに関するカートリッジの旋回運動を制限する。
【００１１】
カム面１６の傾斜によって、ウィング２０の先端は、図１に示すように、ウィング２０の先端がソケット１４の前方停止面に係合する休止位置にカートリッジ４を付勢する。カートリッジ４がこの位置から旋回して移動するとき、例えば、ひげそり中、カム面１６は、互いに内方向にウィング２０の先端部を案内し、カートリッジ４を休止位置に戻す方向の次第に増加する回復力が生じる。
【００１２】
図１においてはっきり分かるように、ハンドル１に関してカートリッジ４が旋回する軸線Ｃは、ガード面及び刃の前縁１２を含むカートリッジ４の平面の上面Ｐに対して直角な方向でガード面１０の下に位置する。平面Ｐで測定された軸線Ｃと刃の前縁との間の距離は、ほぼ１．５ｍｍに等しく、ガード面１０の下の軸線Ｃの深さは、ほぼ０．７０ｍｍに等しい。休止位置において、上面Ｐは、主ハンドル部分の軸線に関してほぼ２５°に等しい角度である。ソケット１４の後面は、図１に破線で示すようにカートリッジ４の最大限の旋回運動をほぼ４３°の角度までに制限する。カートリッジ４が休止位置にあるとき、カートリッジ４の後方は、少なくとも刃の領域で、すなわち、ガードとキャップとの間でハンドル１によっては妨げられない。特に、ハンドル１は、ガード面１０の後縁を含み、上面Ｐに直角な平面より前方にその全体が配置されている。
【００１３】
カートリッジ４を取り外す場合には、ハンドル１のウィング２０を、例えば、親指と人差し指との間で一緒に加圧すると、スタブ軸２６が、開口部から引込むために、ウィング２０の先端部をソケット１４から引くことができる。反対の手順によって新しいカートリッジ４をハンドル１に取り付けることができる。
【００１４】
図５に示す実施例は、スタブ軸及びカム当接縁部を具備するウィングの先端が、一体の二股ハンドルの端部に形成されていることを除いて上述したものと基本的には同じである。この場合において、ウィングは弾性的であり、それらの弾性がカートリッジのカム面１６に対してウィング２０の先端部を押す。
【図面の簡単な説明】
【図１】刃ユニットが縦方向の断面図に示されているカミソリヘッド部分の側面図。
【図２】図１の線Ａ−Ａに沿って切った断面図。
【図３】刃ユニットの下側の部分図。
【図４】図３の線Ｂ−Ｂに沿って切った部分図。
【図５】他の実施例の分解斜視図。
【符号の説明】
１  ハンドル
２  カートリッジ
４  ハウジング
６  刃
８  潤滑ストリップ
１０  ガード面
１２  刃の前縁
１４  ソケット
１６  カム面
１８  開口部
４０  開口
５０  刃支持部材
５１  支持部
５２  基部
５４  スロット
【図１】
0003875207.tif 000002
【図２】
0003875207.tif 000003
【図３】
0003875207.tif 000004
【図４】
0003875207.tif 000005
【図５】
0003875207.tif 000006